(57)【要約】【課題】リレーノードが接続された場合であっても、移動局のハンドオーバ処理を実現することができる。【解決手段】本発明に係る移動通信システムでは、ハンドオーバ処理において、リレーノードＲＮ４とリレーノードＲＮ３との間の無線ベアラ及びリレーノードＲＮ３無線基地局ＤｅＮＢ２との間の無線ベアラを介して、ハンドオーバ処理に係る制御信号を送受信するように構成されている。【選択図】図３
2010259020.tif 000002
【特許請求の範囲】
【請求項１】
第１リレーノードと第２リレーノードとが無線ベアラを介して接続されており、
前記第２リレーノードと無線基地局とが無線ベアラを介して接続されており、
移動局が、前記第１リレーノードとの間で無線ベアラを設定し該第１リレーノードと前記第２リレーノードと前記無線基地局とを介して通信を行っている第１状態と、前記無線基地局との間で無線ベアラを設定し該無線基地局を介して通信を行っている第２状態との間で、ハンドオーバ処理を行うように構成されており、
前記ハンドオーバ処理において、前記第１リレーノードと前記第２リレーノードとの間の無線ベアラ及び該第２リレーノードと該無線基地局との間の無線ベアラを介して、前記ハンドオーバ処理に係る制御信号を送受信するように構成されていることを特徴とする移動通信システム。
【請求項２】
前記第１リレーノードは、前記移動局から測定報告を受信した場合、該第１リレーノードと前記第２リレーノードとの間の無線ベアラを介して、該第２リレーノードに対して、該測定報告を転送するように構成されており、
前記第２リレーノードは、前記測定報告に基づいて、前記移動局の前記第１状態から前記第２状態へのハンドオーバ処理を開始することを決定した場合、その旨を通知するハンドオーバ要求信号を、前記ハンドオーバ処理に係る制御信号として、前記第２リレーノードと該無線基地局との間の無線ベアラを介して、該無線基地局に送信するように構成されていることを特徴とする請求項１に記載の移動通信システム。
【請求項３】
前記第１リレーノードは、前記移動局の前記第１状態から前記第２状態へのハンドオーバ処理を開始することを決定した場合、その旨を通知するハンドオーバ要求信号を、前記ハンドオーバ処理に係る制御信号として、該第１リレーノードと前記第２リレーノードとの間の無線ベアラを介して、該第２リレーノードに送信するように構成されており、
前記第２リレーノードは、受信した前記ハンドオーバ要求信号を、前記第２リレーノードと該無線基地局との間の無線ベアラを介して、該無線基地局に転送するように構成されていることを特徴とする請求項１に記載の移動通信システム。
【発明の詳細な説明】
【技術分野】
【０００１】
本発明は、移動通信システムに関する。
【背景技術】
【０００２】
図８に示すように、３ＧＰＰで規定されているＬＴＥ方式（Ｒｅｌｅａｓｅ.８）の移動通信システムでは、移動局ＵＥの無線基地局ｅＮＢ＃１から無線基地局ｅＮＢ＃２へのハンドオーバ処理が行われる際に、無線基地局ｅＮＢ＃１と無線基地局ｅＮＢ＃２との間で設定されているＸ２ベアラを介して、無線基地局ｅＮＢ＃１と無線基地局ｅＮＢ＃２との間で、ハンドオーバ処理に係る制御信号が送受信されるように構成されている。
【０００３】
図８に示すように、無線基地局ｅＮＢ＃１及び無線基地局＃２は、Ｘ２ベアラを設定するためのＸ２ベアラ機能として、ネットワークレイヤ１（ＮＷ  Ｌ１）機能と、ネットワークレイヤ２（ＮＷ  Ｌ２）機能と、ＩＰ（Ｉｎｔｅｒｎｅｔ  Ｐｒｏｔｏｃｏｌ）レイヤ機能と、ＳＣＴＰ（Ｓｔｒｅａｍ  Ｃｏｎｔｒｏｌ  Ｔｒａｎｓｍｉｓｓｉｏｎ  Ｐｒｏｔｏｃｏｌ）レイヤ機能とを具備している。
【先行技術文献】
【非特許文献】
【０００４】
【非特許文献１】３ＧＰＰ  ＴＳ３６.４２３、「Ｔｅｃｈｎｉｃａｌ  Ｓｐｅｃｉｆｉｃａｔｉｏｎ  Ｇｒｏｕｐ  Ｒａｄｉｏ  Ａｃｃｅｓｓ  Ｎｅｔｗｏｒｋ；Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ-ＵＴＲＡＮ）；Ｘ２  ａｐｐｌｉｃａｔｉｏｎ  ｐｒｏｔｏｃｏｌ（Ｘ２ＡＰ）
【発明の概要】
【発明が解決しようとする課題】
【０００５】
ＬＴＥ方式の後継の通信方式であるＬＴＥ-Ａｄｖａｎｃｅｄ方式の移動通信システムでは、移動局ＵＥと無線基地局ｅＮＢとの間に、無線基地局ｅＮＢと同様な機能を具備する「リレーノード（Ｒｅｌａｙ  Ｎｏｄｅ）ＲＮ」を接続することができる。
【０００６】
しかしながら、従来の移動通信システムでは、リレーノードＲＮが接続された場合、どのように移動局ＵＥのハンドオーバ処理を行うべきか規定されていないという問題点があった。
【０００７】
そこで、本発明は、上述の課題に鑑みてなされたものであり、リレーノードが接続された場合であっても、移動局のハンドオーバ処理を実現することができる移動通信システムを提供することを目的とする。
【課題を解決するための手段】
【０００８】
本発明の第１の特徴は、移動通信システムであって、第１リレーノードと第２リレーノードとが無線ベアラを介して接続されており、前記第２リレーノードと無線基地局とが無線ベアラを介して接続されており、移動局が、前記第１リレーノードとの間で無線ベアラを設定し該第１リレーノードと前記第２リレーノードと前記無線基地局とを介して通信を行っている第１状態と、前記無線基地局との間で無線ベアラを設定し該無線基地局を介して通信を行っている第２状態との間で、ハンドオーバ処理を行うように構成されており、前記ハンドオーバ処理において、前記第１リレーノードと前記第２リレーノードとの間の無線ベアラ及び該第２リレーノードと該無線基地局との間の無線ベアラを介して、前記ハンドオーバ処理に係る制御信号を送受信するように構成されていることを要旨とする。
【０００９】
本発明の第１の特徴において、前記第１リレーノードは、前記移動局から測定報告を受信した場合、該第１リレーノードと前記第２リレーノードとの間の無線ベアラを介して、該第２リレーノードに対して、該測定報告を転送するように構成されており、前記第２リレーノードは、前記測定報告に基づいて、前記移動局の前記第１状態から前記第２状態へのハンドオーバ処理を開始することを決定した場合、その旨を通知するハンドオーバ要求信号を、前記ハンドオーバ処理に係る制御信号として、前記第２リレーノードと該無線基地局との間の無線ベアラを介して、該無線基地局に送信するように構成されていてもよい。
【００１０】
本発明の第１の特徴において、前記第１リレーノードは、前記移動局の前記第１状態から前記第２状態へのハンドオーバ処理を開始することを決定した場合、その旨を通知するハンドオーバ要求信号を、前記ハンドオーバ処理に係る制御信号として、該第１リレーノードと前記第２リレーノードとの間の無線ベアラを介して、該第２リレーノードに送信するように構成されており、前記第２リレーノードは、受信した前記ハンドオーバ要求信号を、前記第２リレーノードと該無線基地局との間の無線ベアラを介して、該無線基地局に転送するように構成されていてもよい。
【発明の効果】
【００１１】
以上説明したように、本発明によれば、リレーノードが接続された場合であっても、移動局のハンドオーバ処理を実現することができる移動通信システムを提供することができる。
【図面の簡単な説明】
【００１２】
【図１】本発明の第１の実施形態に係る移動通信システムの全体構成図である。
【図２】本発明の第１の実施形態に係る移動通信システムにおけるプロトコルスタック図である。
【図３】本発明の第１の実施形態に係る移動通信システムの動作を示すシーケンス図である。
【図４】本発明の第２の実施形態に係る移動通信システムにおけるプロトコルスタック図である。
【図５】本発明の第２の実施形態に係る移動通信システムの動作を示すシーケンス図である。
【図６】本発明の第３の実施形態に係る移動通信システムにおけるプロトコルスタック図である。
【図７】本発明の第３の実施形態に係る移動通信システムの動作を示すシーケンス図である。
【図８】現状の移動通信システムにおけるプロトコルスタック図である。
【発明を実施するための形態】
【００１３】
（本発明の第１の実施形態に係る移動通信システム）
図１乃至図３を参照して、本発明の第１の実施形態に係る移動通信システムについて説明する。
【００１４】
本発明に係る移動通信システムは、ＬＴＥ-Ａｄｖａｎｃｅｄ方式の移動通信システムであって、例えば、図１に示すように、交換局ＭＭＥと、リレーノードＲＮ１乃至ＲＮ４と、リレーノードＲＮ１が接続されている無線基地局ＤｅＮＢ（Ｄｏｎｏｒ  ｅＮＢ）１と、リレーノードＲＮ２及びＲＮ３が接続されている無線基地局ＤｅＮＢ２と、無線基地局ｅＮＢ１とを具備している。
【００１５】
ここで、無線基地局ＤｅＮＢ１と無線基地局ＤｅＮＢ２とが、Ｘ２-Ｃインターフェイスを介して接続されており、無線基地局ＤｅＮＢ２と無線基地局ｅＮＢ１とが、Ｘ２-Ｃインターフェイスを介して接続されている。
【００１６】
また、無線基地局ＤｅＮＢ１、無線基地局ＤｅＮＢ２及び無線基地局ｅＮＢ１のそれぞれと、交換局ＭＭＥとが、Ｓ１-ＭＭＥインターフェイスを介して接続されている。
【００１７】
かかる移動通信システムにおいて、移動局ＵＥは、無線基地局ｅＮＢ（ＤｅＮＢ）及びリレーノードＲＮとの間で無線ベアラを設定して、無線通信を行うように構成されている。
【００１８】
また、かかる移動通信システムでは、図１の（６）に示すように、移動局ＵＥが、リレーノードＲＮ４（第１リレーノード）との間で無線ベアラを設定しリレーノードＲＮ４とリレーノードＲＮ３（第２リレーノード）と無線基地局ＤｅＮＢ２（無線基地局）とを介して通信を行っている第１状態と、無線基地局ＤｅＮＢ２との間で無線ベアラを設定し無線基地局ＤｅＮＢ２を介して通信を行っている第２状態との間で、ハンドオーバ処理を行うように構成されている。
【００１９】
また、かかるハンドオーバ処理において、リレーノードＲＮ４とリレーノードＲＮ３との間の無線ベアラ（Ｕｎインターフェイス）及びリレーノードＲＮ３と無線基地局ＤｅＮＢ２との間の無線ベアラ（Ｕｎインターフェイス）を介して、ハンドオーバ処理に係る制御信号（Ｘ２ＡＰ信号）を送受信するように構成されている。
【００２０】
なお、本実施形態では、リレーノードＲＮ２と無線基地局ＤｅＮＢ２との間には、無線ベアラ（Ｕｎインターフェイス）が設定されないように構成されている。
【００２１】
具体的には、図２に示すように、リレーノードＲＮ４は、リレーノードＲＮ３との間のＸ２-Ｃ無線ベアラ（Ｕｎインターフェイス）を設定するためのＸ２-Ｃ無線ベアラ機能として、物理（ＰＨＹ）レイヤ機能と、物理（ＰＨＹ）レイヤ機能の上位レイヤ機能として設けられているＭＡＣ（Ｍｅｄｉａ  Ａｃｃｅｓｓ  Ｃｏｎｔｒｏｌ）レイヤ機能と、ＭＡＣレイヤ機能の上位レイヤ機能として設けられているＲＬＣ（Ｒａｄｉｏ  Ｌｉｎｋ  Ｃｏｎｔｒｏｌ）レイヤ機能と、ＲＬＣレイヤ機能の上位レイヤ機能として設けられているＰＤＣＰ（Ｐａｃｋｅｔ  Ｄａｔａ  Ｃｏｎｖｅｒｇｅｎｃｅ  Ｐｒｏｔｏｃｏｌ）レイヤ機能とを具備している。
【００２２】
なお、リレーノードＲＮ４は、ＰＤＣＰレイヤ機能の上位レイヤ機能として設けられているＲＲＣ（Ｒａｄｉｏ  Ｒｅｓｏｕｒｃｅ  Ｃｏｎｔｒｏｌ）レイヤ機能を具備してもよい。
【００２３】
また、図２に示すように、リレーノードＲＮ４は、Ｘ２-Ｃ無線ベアラ機能の上位レイヤ機能として、リレーノードＲＮ４リレーノードＲＮ３との間のセキュリティ処理を行うように構成されているＩＰレイヤ機能を具備し、ＩＰレイヤ機能の上位レイヤ機能として、Ｘ２-Ｃ無線ベアラに対するキープアライブ処理を行うように構成されているＳＣＴＰレイヤ機能を具備してもよい。
【００２４】
また、リレーノードＲＮ４は、ＳＣＴＰレイヤ機能の上位レイヤ機能として、ハンドオーバ処理に係る制御信号（例えば、「ＨＯ  Ｒｅｑｕｅｓｔ」や「ＨＯ  Ｒｅｑｕｅｓｔ  ＡＣＫ」等）を送受信するように構成されているＸ２ＡＰレイヤ機能を具備してもよい。
【００２５】
同様に、無線基地局ＤｅＮＢ２は、リレーノードＲＮ３との間のＸ２-Ｃ無線ベアラ（Ｕｎインターフェイス）を設定するためのＸ２-Ｃ無線ベアラ機能として、物理（ＰＨＹ）レイヤ機能と、物理（ＰＨＹ）レイヤ機能の上位レイヤ機能として設けられているＭＡＣレイヤ機能と、ＭＡＣレイヤ機能の上位レイヤ機能として設けられているＲＬＣレイヤ機能と、ＲＬＣレイヤ機能の上位レイヤ機能として設けられているＰＤＣＰレイヤ機能とを具備している。
【００２６】
なお、無線基地局ＤｅＮＢ２は、ＰＤＣＰレイヤ機能の上位レイヤ機能として設けられているＲＲＣレイヤ機能を具備してもよい。
【００２７】
また、無線基地局ＤｅＮＢ２は、Ｘ２-Ｃ無線ベアラ機能の上位レイヤ機能として、リレーノードＲＮ３と無線基地局ＤｅＮＢ２との間のセキュリティ処理を行うように構成されているＩＰレイヤ機能を具備し、ＩＰレイヤ機能の上位レイヤ機能として、Ｘ２-Ｃ無線ベアラに対するキープアライブ処理を行うように構成されているＳＣＴＰレイヤ機能を具備してもよい。
【００２８】
また、無線基地局ＤｅＮＢ２は、ＳＣＴＰレイヤ機能の上位レイヤ機能として、ハンドオーバ処理に係る制御信号を送受信するように構成されているＸ２ＡＰレイヤ機能を具備してもよい。
【００２９】
また、リレーノードＲＮ３は、リレーノードＲＮ４及び無線基地局ＤｅＮＢ２との間のＸ２-Ｃ無線ベアラ（Ｕｎインターフェイス）を設定するためのＸ２-Ｃ無線ベアラ機能を具備している。
【００３０】
また、リレーノードＲＮ３は、Ｘ２-Ｃ無線ベアラ機能の上位レイヤ機能として設けられているＩＰレイヤ機能と、ＩＰレイヤ機能の上位レイヤ機能として設けられているＳＣＴＰ機能と、ＳＣＴＰレイヤ機能の上位レイヤ機能として設けられているＸ２ＡＰレイヤ機能とを具備している。
【００３１】
以下、図３を参照して、本実施形態に係る移動通信システムにおいて、移動局ＵＥが、リレーノードＲＮ４との間で無線ベアラを設定しリレーノードＲＮ４とリレーノードＲＮ３と無線基地局ＤｅＮＢ２とを介して通信を行っている第１状態から、無線基地局ＤｅＮＢ２との間で無線ベアラを設定し無線基地局ＤｅＮＢ２を介して通信を行っている第２状態に、ハンドオーバする動作について説明する。
【００３２】
図３に示すように、移動局ＵＥの「ＵＥ  Ｃｏｎｔｅｘｔ」を管理しているリレーノードＲＮ２が、ステップＳ１０００において、移動局ＵＥの第１状態から第２状態へのハンドオーバ処理を行うことを決定し、ステップＳ１００１において、リレーノードＲＮ３に対して、Ｘ２-Ｃ無線ベアラを介して、移動局ＵＥのリレーノードＲＮ４から無線基地局ＤｅＮＢ２へのハンドオーバを要求する「ＨＯ  Ｒｅｑｕｅｓｔ（ハンドオーバ要求信号）」を送信する。
【００３３】
リレーノードＲＮ３は、Ｘ２ＡＰレイヤ機能において、「ＨＯ  Ｒｅｑｕｅｓｔ」を受信すると、ステップＳ１００２において、移動局ＵＥの「ＵＥ  Ｃｏｎｔｅｘｔ」を記憶し、ステップＳ１００３において、かかる「ＨＯ  Ｒｅｑｕｅｓｔ」を、Ｘ２-Ｃ無線ベアラを介して、無線基地局ＤｅＮＢ２に転送する。
【００３４】
無線基地局ＤｅＮＢ２は、「ＨＯ  Ｒｅｑｕｅｓｔ」を受信すると、ステップＳ１００４において、移動局ＵＥの「ＵＥ  Ｃｏｎｔｅｘｔ」を記憶し、ステップＳ１００５において、リレーノードＲＮ３に対して、Ｘ２-Ｃ無線ベアラを介して、「ＨＯ  Ｒｅｑｕｅｓｔ  Ａｃｋ（ハンドオーバ要求確認信号）」を送信する。
【００３５】
リレーノードＲＮ３は、Ｘ２ＡＰレイヤ機能において、「ＨＯ  Ｒｅｑｕｅｓｔ  Ａｃｋ」を受信すると、ステップＳ１００６において、かかる「ＨＯ  Ｒｅｑｕｅｓｔ  Ａｃｋ」を、Ｘ２-Ｃ無線ベアラを介して、リレーノードＲＮ４に転送する。
【００３６】
ステップＳ１００７において、リレーノードＲＮ４は、移動局ＵＥに対して、ＲＲＣレイヤ機能によって、無線基地局ＤｅＮＢ２にハンドオーバするように指示する「ＨＯ  Ｃｏｍｍａｎｄ（ハンドオーバ指示信号）」を送信する。
【００３７】
ステップＳ１００８において、移動局ＵＥは、ＲＲＣレイヤ機能によって、無線基地局ＤｅＮＢ２に対して、「ＨＯ  Ｃｏｍｐｌｅｔｅ（ハンドオーバ完了信号）」を送信する。
【００３８】
ステップＳ１００９において、無線基地局ＤｅＮＢ２は、Ｓ１-ＭＭＥインターフェイスを介して、交換局ＭＭＥに対して、「Ｐａｔｈ  Ｓｗｉｔｈ  Ｒｅｑｕｅｓｔ（パス切替要求信号）」を送信する。
【００３９】
ステップＳ１０１０において、交換局ＭＭＥは、Ｓ１-ＭＭＥインターフェイスを介して、無線基地局ＤｅＮＢ２に対して、「Ｐａｔｈ  Ｓｗｉｔｈ  Ｒｅｑｕｅｓｔ  Ａｃｋ（パス切替要求確認信号）」を送信すると共に、移動局ＵＥ宛ての信号の転送先を、リレーノードＲＮ４から無線基地局ＤｅＮＢ２に切り替える。
【００４０】
ステップＳ１０１１において、無線基地局ＤｅＮＢ２は、Ｘ２-Ｃ無線ベアラを介して、リレーノードＲＮ３に対して、「ＵＥ  Ｃｏｎｔｅｘｔ  Ｒｅｌｅａｓｅ」を送信し、ステップＳ１０１２において、リレーノードＲＮ３は、Ｘ２ＡＰレイヤ機能において、リレーノードＲＮ４に対して、Ｘ２-Ｃ無線ベアラを介して、「ＵＥ  Ｃｏｎｔｅｘｔ  Ｒｅｌｅａｓｅ」を転送し、リレーノードＲＮ４は、「ＵＥ  Ｃｏｎｔｅｘｔ  Ｒｅｌｅａｓｅ」に応じて、移動局ＵＥの「ＵＥ  Ｃｏｎｔｅｘｔ」の管理を終了する。
【００４１】
なお、図３において、リレーノードＲＮ４と無線基地局ＤｅＮＢ２とが入れ替わってもよい。
【００４２】
上述のように、リレーノードＲＮ３におけるＸ２ＡＰレイヤ機能は、リレーノートＲＮ４とリレーノードＲＮ３との間におけるハンドオーバ処理に係る制御信号（Ｘ２ＡＰ信号）と、リレーノートＲＮ３と無線基地局ＤｅＮＢ２との間におけるハンドオーバ処理に係る制御信号（Ｘ２ＡＰ信号）とを変換するように構成されている。
【００４３】
また、リレーノードＲＮ３におけるＸ２ＡＰレイヤ機能は、リレーノートＲＮ４とリレーノードＲＮ３との間で用いられている移動局ＩＤと、リレーノートＲＮ３と無線基地局ＤｅＮＢ２との間で用いられている移動局ＩＤとを関連付けて管理するように構成されている。
【００４４】
本実施形態に係る移動通信システムによれば、ＬＴＥ方式の移動通信システムで用いられていた各装置のプロトコルスタックに対して、大きな改修を施すことなく、リレーノードＲＮが関連するハンドオーバ処理を実現することができる。
【００４５】
（本発明の第２の実施形態に係る移動通信システム）
図４及び図５を参照して、本発明の第２の実施形態に係る移動通信システムについて説明する。以下、本発明の第２の実施形態に係る移動通信システムについて、上述の第１の実施形態に係る移動通信システムとの相違点に着目して説明する。
【００４６】
具体的には、図４に示すように、リレーノードＲＮ４は、リレーノードＲＮ３との間のＸ２-Ｃ無線ベアラ（Ｕｎインターフェイス）を設定するためのＸ２-Ｃ無線ベアラ機能として、物理（ＰＨＹ）レイヤ機能と、物理（ＰＨＹ）レイヤ機能の上位レイヤ機能として設けられているＭＡＣレイヤ機能と、ＭＡＣレイヤ機能の上位レイヤ機能として設けられているＲＬＣレイヤ機能と、ＲＬＣレイヤ機能の上位レイヤ機能として設けられているＰＤＣＰレイヤ機能とを具備している。
【００４７】
なお、リレーノードＲＮ４は、ＰＤＣＰレイヤ機能の上位レイヤ機能として設けられているＲＲＣレイヤ機能を具備してもよい。
【００４８】
また、図４に示すように、リレーノードＲＮ４は、移動局ＵＥにおけるＲＲＣレイヤ機能のプロキシとして動作するように構成されており、Ｘ２-Ｃ無線ベアラ機能の上位レイヤ機能として、リレーノードＲＮ４とリレーノードＲＮ３との間のセキュリティ処理を行うように構成されているＩＰレイヤ機能や、Ｘ２-Ｃ無線ベアラに対するキープアライブ処理を行うように構成されているＳＣＴＰレイヤ機能や、ハンドオーバ処理に係る制御信号を送受信するように構成されているＸ２ＡＰレイヤ機能を具備していない。
【００４９】
また、無線基地局ＤｅＮＢ２及びリレーノードＲＮ３のプロトコルスタックは、図２に示す第１の実施形態に係る移動通信システムのプロトコルスタックと同一である。
【００５０】
以下、図５を参照して、本実施形態に係る移動通信システムにおいて、移動局ＵＥが、リレーノードＲＮ４との間で無線ベアラを設定しリレーノードＲＮ４とリレーノードＲＮ３と無線基地局ＤｅＮＢ２とを介して通信を行っている第１状態から、無線基地局ＤｅＮＢ２との間で無線ベアラを設定し無線基地局ＤｅＮＢ２を介して通信を行っている第２状態に、ハンドオーバする動作について説明する。
【００５１】
図５に示すように、リレーノードＲＮ４は、ステップＳ２０００において、移動局ＵＥから「Ｍｅａｓｕｒｅｍｅｎｔ  Ｒｅｐｏｒｔ（測定報告）」を受信すると、ステップＳ２００１において、管理している移動局ＵＥの「ＵＥ  Ｃｏｎｔｅｘｔ」を取得して、ステップＳ２００２において、ＲＲＣレイヤ機能によって、かかる移動局ＵＥの「ＵＥ  Ｃｏｎｔｅｘｔ」を含む「Ｍｅａｓｕｒｅｍｅｎｔ  Ｒｅｐｏｒｔ」をリレーノードＲＮ３に転送する。
【００５２】
リレーノードＲＮ３は、受信した「Ｍｅａｓｕｒｅｍｅｎｔ  Ｒｅｐｏｒｔ」に基づいて、移動局ＵＥのリレーノードＲＮ４から無線基地局ＤｅＮＢ２へのハンドオーバ処理を行うことを決定し、ステップＳ２００３において、移動局ＵＥの「ＵＥ  Ｃｏｎｔｅｘｔ」を記憶し、ステップＳ２００４において、移動局ＵＥのリレーノードＲＮ４から無線基地局ＤｅＮＢ２へのハンドオーバを要求する「ＨＯ  Ｒｅｑｕｅｓｔ（ハンドオーバ要求信号）」を、無線基地局ＤｅＮＢ２に対して、Ｘ２-Ｃ無線ベアラを介して送信する。
【００５３】
無線基地局ＤｅＮＢ２は、「ＨＯ  Ｒｅｑｕｅｓｔ」を受信すると、ステップＳ２００５において、移動局ＵＥの「ＵＥ  Ｃｏｎｔｅｘｔ」を記憶し、ステップＳ２００６において、リレーノードＲＮ３に対して、Ｘ２-Ｃ無線ベアラを介して、「ＨＯ  Ｒｅｑｕｅｓｔ  Ａｃｋ（ハンドオーバ要求確認信号）」を送信する。
【００５４】
リレーノードＲＮ３は、「ＨＯ  Ｒｅｑｕｅｓｔ  Ａｃｋ」を受信すると、ステップＳ２００７において、リレーノードＲＮ４に対して、ＲＲＣレイヤ機能によって、無線基地局ＤｅＮＢ２にハンドオーバするように指示する「ＨＯ  Ｃｏｍｍａｎｄ（ハンドオーバ指示信号）」を送信する。
【００５５】
ステップＳ２００８において、リレーノードＲＮ４は、移動局ＵＥに対して、ＲＲＣレイヤ機能によって、受信した「ＨＯ  Ｃｏｍｍａｎｄ」を転送する。
【００５６】
ステップＳ２００９において、移動局ＵＥは、ＲＲＣレイヤ機能によって、無線基地局ＤｅＮＢ２に対して、「ＨＯ  Ｃｏｍｐｌｅｔｅ（ハンドオーバ完了信号）」を送信する。
【００５７】
ステップＳ２０１０において、無線基地局ＤｅＮＢ２は、Ｓ１-ＭＭＥインターフェイスを介して、交換局ＭＭＥに対して、「Ｐａｔｈ  Ｓｗｉｔｈ  Ｒｅｑｕｅｓｔ（パス切替要求信号）」を送信する。
【００５８】
ステップＳ２０１１において、交換局ＭＭＥは、Ｓ１-ＭＭＥインターフェイスを介して、無線基地局ＤｅＮＢ２に対して、「Ｐａｔｈ  Ｓｗｉｔｈ  Ｒｅｑｕｅｓｔ  Ａｃｋ（パス切替要求確認信号）」を送信すると共に、移動局ＵＥ宛ての信号の転送先を、リレーノードＲＮ４から無線基地局ＤｅＮＢ２に切り替える。
【００５９】
ステップＳ２０１２において、無線基地局ＤｅＮＢ２は、Ｘ２-Ｃ無線ベアラを介して、リレーノードＲＮ３に対して、「ＵＥ  Ｃｏｎｔｅｘｔ  Ｒｅｌｅａｓｅ」を送信する。
【００６０】
ステップＳ２０１３において、リレーノードＲＮ３は、ＲＲＣレイヤ機能において、リレーノードＲＮ４に対して、「ＲＲＣ  Ｃｏｎｎｅｃｔｉｏｎ  Ｒｅｌｅａｓｅ」を転送し、リレーノードＲＮ４は、「ＲＲＣ  Ｃｏｎｎｅｃｔｉｏｎ  Ｒｅｌｅａｓｅ」に応じて、移動局ＵＥの「ＵＥ  Ｃｏｎｔｅｘｔ」の管理を終了する。
【００６１】
（本発明の第３の実施形態に係る移動通信システム）
図６及び図７を参照して、本発明の第３の実施形態に係る移動通信システムについて説明する。以下、本発明の第３の実施形態に係る移動通信システムについて、上述の第１の実施形態に係る移動通信システムとの相違点に着目して説明する。
【００６２】
具体的には、図６に示すように、リレーノードＲＮ３は、リレーノードＲＮ４及び無線基地局ＤｅＮＢ２との間のＸ２-Ｃ無線ベアラ（Ｕｎインターフェイス）を設定するためのＸ２-Ｃ無線ベアラ機能を具備している。
【００６３】
また、リレーノードＲＮ３は、Ｘ２-Ｃ無線ベアラ機能の上位レイヤ機能として、ＩＰレイヤ機能を具備しているが、ＩＰレイヤ機能の上位レイヤ機能として、ＳＣＴＰ機能やＸ２ＡＰレイヤ機能を具備していない。
【００６４】
なお、リレーノードＲＮ４及び無線基地局ＤｅＮＢ２のプロトコルスタックは、図２に示す第１の実施形態に係る移動通信システムのプロトコルスタックと同一である。
【００６５】
以下、図７を参照して、本実施形態に係る移動通信システムにおいて、移動局ＵＥが、リレーノードＲＮ４との間で無線ベアラを設定しリレーノードＲＮ４とリレーノードＲＮ３と無線基地局ＤｅＮＢ２とを介して通信を行っている第１状態から、無線基地局ＤｅＮＢ２との間で無線ベアラを設定し無線基地局ＤｅＮＢ２を介して通信を行っている第２状態に、ハンドオーバする動作について説明する。
【００６６】
図７に示すように、移動局ＵＥの「ＵＥ  Ｃｏｎｔｅｘｔ」を管理しているリレーノードＲＮ４は、ステップＳ３０００において、移動局ＵＥの第１状態から第２状態へのハンドオーバ処理を行うことを決定し、ステップＳ３００１において、リレーノードＲＮ３に対して、Ｘ２-Ｃ無線ベアラを介して、移動局ＵＥのリレーノードＲＮ４から無線基地局ＤｅＮＢ２へのハンドオーバを要求する「ＨＯ  Ｒｅｑｕｅｓｔ（ハンドオーバ要求信号）」を送信する。
【００６７】
リレーノードＲＮ３は、ＩＰレイヤ機能によって、ステップＳ３００２において、「ＨＯ  Ｒｅｑｕｅｓｔ」を受信すると、ステップＳ３００３において、かかる「ＨＯ  Ｒｅｑｕｅｓｔ」を、Ｘ２-Ｃ無線ベアラを介して、無線基地局ＤｅＮＢ２に転送する。
【００６８】
無線基地局ＤｅＮＢ２は、「ＨＯ  Ｒｅｑｕｅｓｔ」を受信すると、ステップＳ３００４において、移動局ＵＥの「ＵＥ  Ｃｏｎｔｅｘｔ」を記憶し、ステップＳ３００５において、リレーノードＲＮ３に対して、Ｘ２-Ｃ無線ベアラを介して、「ＨＯ  Ｒｅｑｕｅｓｔ  Ａｃｋ（ハンドオーバ要求確認信号）」を送信する。
【００６９】
リレーノードＲＮ３は、ＩＰレイヤ機能によって、「ＨＯ  Ｒｅｑｕｅｓｔ  Ａｃｋ」を受信すると、ステップＳ３００６において、かかる「ＨＯ  Ｒｅｑｕｅｓｔ  Ａｃｋ」を、Ｘ２-Ｃ無線ベアラを介して、リレーノードＲＮ４に転送する。
【００７０】
ステップＳ３００７において、リレーノードＲＮ４は、移動局ＵＥに対して、ＲＲＣレイヤ機能によって、無線基地局ＤｅＮＢ２にハンドオーバするように指示する「ＨＯ  Ｃｏｍｍａｎｄ（ハンドオーバ指示信号）」を送信する。
【００７１】
ステップＳ３００８において、移動局ＵＥは、ＲＲＣレイヤ機能によって、無線基地局ＤｅＮＢ２に対して、「ＨＯ  Ｃｏｍｐｌｅｔｅ（ハンドオーバ完了信号）」を送信する。
【００７２】
ステップＳ３００９において、無線基地局ＤｅＮＢ２は、Ｓ１-ＭＭＥインターフェイスを介して、交換局ＭＭＥに対して、「Ｐａｔｈ  Ｓｗｉｔｈ  Ｒｅｑｕｅｓｔ（パス切替要求信号）」を送信する。
【００７３】
ステップＳ３０１０において、交換局ＭＭＥは、Ｓ１-ＭＭＥインターフェイスを介して、無線基地局ＤｅＮＢ２に対して、「Ｐａｔｈ  Ｓｗｉｔｈ  Ｒｅｑｕｅｓｔ  Ａｃｋ（パス切替要求確認信号）」を送信すると共に、移動局ＵＥ宛ての信号の転送先を、リレーノードＲＮ４から無線基地局ＤｅＮＢ２に切り替える。
【００７４】
ステップＳ３０１１において、無線基地局ＤｅＮＢ２は、Ｘ２-Ｃ無線ベアラを介して、リレーノードＲＮ３に対して、「ＵＥ  Ｃｏｎｔｅｘｔ  Ｒｅｌｅａｓｅ」を送信する。
【００７５】
リレーノードＲＮ３は、Ｉレイヤ機能によって、ステップＳ３０１２において、「ＵＥ  Ｃｏｎｔｅｘｔ  Ｒｅｌｅａｓｅ」を受信すると、ステップＳ３０１３において、リレーノードＲＮ４に対して、Ｘ２-Ｃ無線ベアラを介して、「ＵＥ  Ｃｏｎｔｅｘｔ  Ｒｅｌｅａｓｅ」を転送し、リレーノードＲＮ４は、「ＵＥ  Ｃｏｎｔｅｘｔ  Ｒｅｌｅａｓｅ」に応じて、移動局ＵＥの「ＵＥ  Ｃｏｎｔｅｘｔ」の管理を終了する。
【００７６】
なお、上述の移動局ＵＥやリレーノードＲＮや無線基地局ｅＮＢや交換局ＭＭＥの動作は、ハードウェアによって実施されてもよいし、プロセッサによって実行されるソフトウェアモジュールによって実施されてもよいし、両者の組み合わせによって実施されてもよい。
【００７７】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７８】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、移動局ＵＥやリレーノードＲＮや無線基地局ｅＮＢや交換局ＭＭＥ内に設けられていてもよい。また、かかる記憶媒体及びプロセッサは、ディスクリートコンポーネントとして移動局ＵＥやリレーノードＲＮや無線基地局ｅＮＢや交換局ＭＭＥ内に設けられていてもよい。
【００７９】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００８０】
ＵＥ…移動局
ＲＮ…リレーノード
ｅＮＢ…無線基地局
ＭＭＥ…交換局
【図１】
2010259020.tif 000003
【図２】
2010259020.tif 000004
【図３】
2010259020.tif 000005
【図４】
2010259020.tif 000006
【図５】
2010259020.tif 000007
【図６】
2010259020.tif 000008
【図７】
2010259020.tif 000009
【図８】
2010259020.tif 000010